(57)【要約】【課題】エレベータの改修工事にかかるコストの低減化、及びエレベータの改修工事の手間の軽減化を図ることができるエレベータの主索固定装置、及びエレベータの改修方法を得る。【解決手段】エレベータの主索固定装置は、かご３及び釣合おもり４を移動させる駆動力を発生する巻上機６を支持する２本の機械台８間に渡して固定された一対の渡し梁２１、及び一対の渡し梁２１に固定された綱止構造体２２とを有している。綱止構造体２２は、かご３及び釣合おもり４を吊り下げる主索１０の一端部及び他端部の少なくともいずれかが接続された綱止梁２４を有している。【選択図】図３
2015030559.tif 000002
【特許請求の範囲】
【請求項１】
かご及び釣合おもりを移動させる駆動力を発生する駆動装置を支持する２本の機械台間に渡して固定された渡し梁、及び
上記かご及び上記釣合おもりを吊り下げる主索の一端部及び他端部の少なくともいずれかが接続された綱止部材を有し、上記渡し梁に固定された綱止構造体
を備えているエレベータの主索固定装置。
【請求項２】
上記綱止構造体は、上から見たときに、上記２本の機械台間に配置されている請求項１に記載のエレベータの主索固定装置。
【請求項３】
上記綱止構造体は、上記渡し梁に固定された取付台をさらに有し、
上記綱止部材は、上記渡し梁の上面よりも高い位置で上記取付台に固定されている請求項１又は請求項２に記載のエレベータの主索固定装置。
【請求項４】
上記渡し梁は、締結具によって上記２本の機械台に固定されている請求項１〜請求項３のいずれか一項に記載のエレベータの主索固定装置。
【請求項５】
一端部がかごに接続され他端部が釣合おもりに接続された主索によってかご及び釣合おもりが吊り下げられた改修前のエレベータから、昇降路の上部に位置する機械室内で一端部及び他端部の少なくともいずれかが接続された主索によってかご及び釣合おもりが吊り下げられた改修後のエレベータに変更するエレベータの改修方法であって、
上記機械室内に設けられた既設の２本の機械台間に渡して固定された渡し梁と、綱止部材を含み上記渡し梁に固定された綱止構造体とを有する主索固定装置を上記機械室内に設置する機器設置工程、及び
上記綱止部材に上記主索の一端部及び他端部の少なくともいずれかを接続する主索接続工程
を備えているエレベータの改修方法。
【発明の詳細な説明】
【技術分野】
【０００１】
この発明は、かご及び釣合おもりを吊り下げる主索の一端部及び他端部の少なくともいずれかが接続された綱止部材を有するエレベータの主索固定装置、及び主索固定装置を用いたエレベータの改修方法に関するものである。
【背景技術】
【０００２】
従来、昇降路の上部に位置する機械室内に設置された綱止用の受板に主索の一端部及び他端部を接続して、かご及び釣合おもりの主索による吊り下げ方式を２：１ローピング方式としたエレベータが知られている。このような従来のエレベータでは、巻上機を支持する２本の機械台とは別の綱止用のビームが機械台と平行に機械室内に設置され、綱止用のビームと機械台との間に綱止用の受板が渡して固定されている。２本の機械台及び綱止用のビームは、機械室の床に下部が埋められた一対の支持台間に渡して固定されている（例えば特許文献１参照）。
【先行技術文献】
【特許文献】
【０００３】
【特許文献１】特開平８−２９５４７３号公報
【発明の概要】
【発明が解決しようとする課題】
【０００４】
しかし、一端部がかごに接続され他端部が釣合おもりに接続された主索によってかご及び釣合おもりを吊り下げるエレベータ（即ち、かご及び釣合おもりの主索による吊り下げ方式が１：１ローピング方式とされたエレベータ）の機械室には、綱止用のビームが設置されていないので、１：１ローピング方式のエレベータを２：１ローピング方式のエレベータに変更する改修工事を行うときには、機械台と同じ長さを持つ綱止用のビームを機械室内に新たに設置する必要があり、綱止用のビームの部品コストがかかってしまう。また、綱止用のビームを支持台に固定するために、機械室の床に埋められた各支持台を加工しなければならず、綱止用のビームを機械室内に設置する工事にも手間がかかってしまう。
【０００５】
この発明は、上記のような課題を解決するためになされたものであり、エレベータの改修工事にかかるコストの低減化、及びエレベータの改修工事の手間の軽減化を図ることができるエレベータの主索固定装置、及びエレベータの改修方法を得ることを目的とする。
【課題を解決するための手段】
【０００６】
この発明に係るエレベータの主索固定装置は、かご及び釣合おもりを移動させる駆動力を発生する駆動装置を支持する２本の機械台間に渡して固定された渡し梁、及びかご及び釣合おもりを吊り下げる主索の一端部及び他端部の少なくともいずれかが接続された綱止部材を有し、渡し梁に固定された綱止構造体を備えている。
【０００７】
また、この発明に係るエレベータの改修方法は、一端部がかごに接続され他端部が釣合おもりに接続された主索によってかご及び釣合おもりが吊り下げられた改修前のエレベータから、昇降路の上部に位置する機械室内で一端部及び他端部の少なくともいずれかが接続された主索によってかご及び釣合おもりが吊り下げられた改修後のエレベータに変更するエレベータの改修方法であって、機械室内に設けられた既設の２本の機械台間に渡して固定された渡し梁と、綱止部材を含み渡し梁に固定された綱止構造体とを有する主索固定装置を機械室内に設置する機器設置工程、及び綱止部材に主索の一端部及び他端部の少なくともいずれかを接続する主索接続工程を備えている。
【発明の効果】
【０００８】
この発明に係るエレベータの主索固定装置、及びエレベータの改修方法によれば、綱止用のビームを新たに設置する必要がなくなり、エレベータの改修工事にかかるコストの低減化を図ることができ、エレベータの改修工事の手間の軽減化を図ることができる。
【図面の簡単な説明】
【０００９】
【図１】この発明の実施の形態１によるエレベータを示す模式的な側面図である。
【図２】図１の釣合おもり側主索固定装置及び２本の機械台を示す上面図である。
【図３】図１の巻上機、２本の機械台、マシンベース、釣合おもり側主索固定装置を示す斜視図である。
【図４】図３の釣合おもり側主索固定装置を示す斜視図である。
【図５】改修前の既存のエレベータを示す模式的な側面図である。
【図６】図５の２本の機械台を示す上面図である。
【発明を実施するための形態】
【００１０】
実施の形態１．
図１は、この発明の実施の形態１によるエレベータを示す模式的な側面図である。本実施の形態によるエレベータは、改修前の既存のエレベータを改修（リフォーム）することにより得られた改修後のエレベータである。図において、昇降路１の上部には、機械室２が設けられている。昇降路１内には、かご３及び釣合おもり４が上下方向へ移動可能に設けられている。機械室２内には、駆動綱車５を有する巻上機（駆動装置）６と、駆動綱車５から離して配置されたそらせ車７とが設けられている。巻上機６は、かご３及び釣合おもり４を移動させる駆動力を発生する。駆動綱車５は、巻上機６の駆動力により回転される。この例では、軸方向寸法よりも径方向寸法のほうが大きな薄形巻上機が巻上機６として用いられている。
【００１１】
機械室２の床には、２本の機械台（駆動装置支持用ビーム）８が互いに離して水平に設置されている。２本の機械台８には、マシンベース９が載せられている。巻上機６及びそらせ車７は、マシンベース９を介して２本の機械台８に支持されている。
【００１２】
駆動綱車５及びそらせ車７には、複数本の主索１０が巻き掛けられている。かご３及び釣合おもり４は、主索１０により昇降路１内に吊り下げられている。
【００１３】
かご３の上部にはかご吊り車１１が設けられ、釣合おもり４の上部には釣合おもり吊り車１２が設けられている。また、機械室２内には、かご側主索固定装置１３及び釣合おもり側主索固定装置１４が設置されている。かご側主索固定装置１３及び釣合おもり側主索固定装置１４は、巻上機６、そらせ車７及びマシンベース９を避けて２本の機械台８に取り付けられている。
【００１４】
主索１０の一端部はかご側主索固定装置１３に接続され、主索１０の他端部は釣合おもり側主索固定装置１４に接続されている。主索１０は、かご側主索固定装置１３に接続された一端部から、かご吊り車１１、駆動綱車５、そらせ車７、釣合おもり吊り車１２の順に巻き掛けられ、釣合おもり側主索固定装置１４に接続された他端部に達している。これにより、改修後のエレベータでは、かご３及び釣合おもり４の主索１０による吊り下げ方式が２：１ローピング方式とされている。
【００１５】
図２は、図１の釣合おもり側主索固定装置１４及び２本の機械台８を示す上面図である。また、図３は、図１の巻上機６、２本の機械台８、マシンベース９、釣合おもり側主索固定装置１４を示す斜視図である。さらに、図４は、図３の釣合おもり側主索固定装置１４を示す斜視図である。
【００１６】
この例では、２本の機械台８が、互いに平行に配置された断面Ｈ形のビーム（アングル材）とされている。マシンベース９は、図３に示すように、２本の機械台８間に跨って各機械台８に載せられている。また、マシンベース９には、薄形巻上機である巻上機６の設置位置を避けて貫通孔１６が上下方向へ設けられている。貫通孔１６は、マシンベース９を上から見たとき、２本の機械台８間に存在している。
【００１７】
釣合おもり側主索固定装置１４は、２本の機械台８間に渡して固定された一対の渡し梁２１と、一対の渡し梁２１間に渡って固定された綱止構造体２２とを有している。
【００１８】
一対の渡し梁２１は、機械台８の長手方向について互いに離して配置されている。また、各渡し梁２１の両端部は、各機械台８の上面に固定されている。
【００１９】
綱止構造体２２は、図２に示すように、上から見たときに、２本の機械台８間に配置されている。また、綱止構造体２２は、各渡し梁２１に個別に固定された一対の取付台２３と、一対の取付台２３間に渡して固定された綱止梁（綱止部材）２４とを有している。
【００２０】
各取付台２３は、渡し梁２１の上面に固定されている。この例では、各取付台２３が、マシンベース９の上面よりも高い位置に上端部が存在する断面矩形状の柱とされている。また、この例では、図３に示すように、一方の取付台２３がマシンベース９の貫通孔１６に通された状態で配置され、他方の取付台２３が貫通孔１６から外れた位置に配置されている。
【００２１】
綱止梁２４は、各渡し梁２１の上面よりも高い位置で各取付台２３に固定されている。この例では、綱止梁２４が各取付台２３の上端部に固定されることにより、綱止梁２４の位置がマシンベース９の上面よりも高い位置とされている。即ち、この例では、綱止構造体２２がマシンベース９の一部を跨いだ状態で一対の渡し梁２１間に固定されている。綱止梁２４は、主索１０が接続された綱止部２４ａを有している。主索１０は、２本の機械台８間の空間及び貫通孔１６を通されて綱止部２４ａに接続されている。
【００２２】
この例では、機械台８、渡し梁２１、取付台２３及び綱止梁２４間のそれぞれの固定が、締結具（例えばボルト及びナット等）２５によって行われている。また、この例では、機械台８に設けられた長穴に通された締結具２５によって渡し梁２１が機械台８に固定され、渡し梁２１に設けられた長穴に通された締結具２５によって取付台２３が渡し梁２１に固定され、綱止梁２４に設けられた長穴に通された締結具２５によって綱止梁２４が取付台２３に固定されている。これにより、機械台８に対する渡し梁２１の位置、渡し梁２１に対する取付台２３の位置、取付台２３に対する綱止梁２４の位置のそれぞれが、水平方向について調整可能になっている。
【００２３】
かご側主索固定装置１３の構成は、釣合おもり側主索固定装置１４の構成と同様である。また、かご側主索固定装置１３は、釣合おもり側主索固定装置１４を避けて配置されている。主索１０の一端部はかご側主索固定装置１３の綱止梁２４の綱止部２４ａに接続され、主索１０の他端部は釣合おもり側主索固定装置１４の綱止梁２４の綱止部２４ａに接続されている。
【００２４】
次に、本実施の形態による改修後のエレベータを得る前の改修前の既存のエレベータについて説明する。図５は、改修前の既存のエレベータを示す模式的な側面図である。また、図６は、図５の２本の機械台８を示す上面図である。改修前のエレベータでは、機械室２内に設置された２本の機械台８は改修後のエレベータと同じである。しかし、改修前のエレベータでは、かご側主索固定装置１３及び釣合おもり側主索固定装置１４が機械室２内に設置されておらず、かご吊り車１１及び釣合おもり吊り車１２がかご３及び釣合おもり４に設けられていない。また、改修前のエレベータでは、巻上機６が、薄形巻上機ではなく、非薄形の巻上機とされている。
【００２５】
かご３及び釣合おもり４は、駆動綱車５及びそらせ車７に巻き掛けられた主索１０により昇降路１内に吊り下げられている。主索１０の一端部はかご３に接続され、主索１０の他端部は釣合おもり４に接続されている。これにより、改修前のエレベータでは、かご３及び釣合おもり４の主索１０による吊り下げ方式が１：１ローピング方式とされている。
【００２６】
次に、一端部がかご３に接続され他端部が釣合おもり４に接続された主索１０によってかご３及び釣合おもり４が吊り下げられた図５の改修前のエレベータ（即ち、かご３及び釣合おもり４の主索１０による吊り下げ方式が１：１ローピング方式とされたエレベータ）から、機械室２内で一端部及び他端部が接続された主索１０によってかご３及び釣合おもり４が吊り下げられた図１の改修後のエレベータ（即ち、かご３及び釣合おもり４の主索１０による吊り下げ方式が２：１ローピング方式とされたエレベータ）に変更するエレベータの改修方法について説明する。
【００２７】
かご３及び釣合おもり４の主索１０による吊り下げ方式を１：１から２：１に変更する改修工事を行うときには、まず、図５の改修前のエレベータにおいて、かご３及び釣合おもり４が落下しないように、かご３及び釣合おもり４を支持具によって支持する（支持工程）。
【００２８】
この後、図５に示すかご３、釣合おもり４及び２本の機械台８を残し、図５に示す改修前の既設の巻上機６、そらせ車７、マシンベース９、主索１０等を取り外す（機器取り外し工程）。
【００２９】
この後、既設のかご３の上部に新規のかご吊り車１１を取り付けるとともに、既設の釣合おもり４の上部に新規の釣合おもり吊り車１２を取り付ける。また、機械室２内では、それぞれ新規のマシンベース９、かご側主索固定装置１３及び釣合おもり側主索固定装置１４を既設の２本の機械台８に設置する。
【００３０】
具体的には、既設の２本の機械台８間に渡して固定された新規のマシンベース９と、マシンベース９に取り付けられたそれぞれ新規の巻上機６及びそらせ車７とを機械室２内に設置する。また、既設の２本の機械台８間に渡して固定された一対の渡し梁２１と、一対の渡し梁２１間に固定された綱止構造体２２とをそれぞれ有するかご側主索固定装置１３及び釣合おもり側主索固定装置１４を機械室２内に設置する。
【００３１】
マシンベース９、巻上機６及びそらせ車７を機械室２内に設置するときには、マシンベース９を２本の機械台８間に固定した後に巻上機６及びそらせ車７をマシンベース９に取り付けてもよいし、巻上機６及びそらせ車７を予め取り付けておいたマシンベース９を２本の機械台８間に固定してもよい。また、かご側主索固定装置１３及び釣合おもり側主索固定装置１４を機械室２内に設置するときには、一対の渡し梁２１を２本の機械台８間に固定した後に綱止構造体２２を渡し梁２１に固定してもよいし、綱止構造体２２を予め固定しておいた一対の渡し梁２１を２本の機械台８間に固定してもよい（機器設置工程）。
【００３２】
この後、かご吊り車１１、駆動綱車５、そらせ車７及び釣合おもり吊り車１２に新規の主索１０を巻き掛けるとともに、機械室２内の２本の機械台８に設置したかご側主索固定装置１３の綱止梁２４の綱止部２４ａに主索１０の一端部を接続し、機械室２内の２本の機械台８に設置したかご側主索固定装置１３の綱止梁２４の綱止部２４ａに主索１０の他端部を接続する（主索接続工程）。
【００３３】
この後、かご３及び釣合おもり４を支持する支持具を取り外すことにより、かご３及び釣合おもり４を主索１０で吊り下げる（吊り下げ工程）。このようにして、かご３及び釣合おもり４の主索１０による吊り下げ方式を１：１から２：１に変更する。
【００３４】
このようなかご側主索固定装置１３及び釣合おもり側主索固定装置１４では、渡し梁２１が既設の２本の機械台８間に渡して固定され、主索１０が接続された綱止梁２４を含む綱止構造体２２が渡し梁２１に固定されているので、かご３及び釣合おもり４の主索１０による吊り下げ方式を１：１から２：１に変更する改修工事を行うときに、２本の機械台８を利用するだけで、かご側主索固定装置１３及び釣合おもり側主索固定装置１４を機械室２内に設置することができ、機械台８と同じ長さを持つ綱止用のビームを機械室２内に新たに設置する必要がなくなる。これにより、綱止用のビームの部品コストをなくすことができ、エレベータの改修工事にかかるコストの低減化を図ることができる。また、長尺部材である綱止用のビームを機械室２内に設置する必要がなくなるので、かご側主索固定装置１３及び釣合おもり側主索固定装置１４を機械室２内に設置する手間を軽減することができ、エレベータの改修工事の手間の軽減化を図ることもできる。
【００３５】
また、綱止構造体２２は、上から見たときに、２本の機械台８間に配置されているので、かご３及び釣合おもり４を吊り下げる主索１０を２本の機械台８間の空間を通して綱止構造体２２の綱止梁２４に接続することができる。これにより、かご側主索固定装置１３及び釣合おもり側主索固定装置１４のそれぞれの上から見たときの設置スペースを２本の機械台８間の範囲に収めることができ、機械室２内に設置される機器のスペースの縮小化を図ることができる。
【００３６】
また、綱止構造体２２は渡し梁２１に固定された取付台２３を有し、綱止梁２４は渡し梁２１の上面よりも高い位置で取付台２３に固定されているので、綱止梁２４に接続された主索１０の一端部及び他端部の位置を、渡し梁２１の上面よりも高い位置にすることができる。これにより、主索１０の傾きを鉛直方向に近づけることができ、かご３及び釣合おもり４の主索１０による吊り下げ調整作業を容易にすることができる。
【００３７】
また、渡し梁２１は、締結具２５によって２本の機械台８に固定されているので、機械室２内における現地溶接作業を不要にすることができる。これにより、エレベータの改修工事の手間をさらに軽減することができる。
【００３８】
また、このようなエレベータの改修方法では、既設の２本の機械台８間に渡して固定された渡し梁２１と、渡し梁２１に固定された綱止構造体２２とをそれぞれ有するかご側主索固定装置１３及び釣合おもり側主索固定装置１４を機械室２内に設置するので、２本の機械台８を利用するだけで、かご側主索固定装置１３及び釣合おもり側主索固定装置１４を機械室２内に設置することができ、綱止用のビームの部品コストをなくすことができる。これにより、エレベータの改修工事にかかるコストの低減化を図ることができる。また、長尺部材である綱止用のビームを機械室２内に設置する必要がなくなるので、エレベータの改修工事の手間の軽減化を図ることもできる。
【００３９】
なお、上記の例では、渡し梁２１に固定された取付台２３に綱止梁２４が固定されているが、取付台２３をなくして、渡し梁２１に綱止梁２４を直接固定してもよい。
【００４０】
また、上記の例では、一対の渡し梁２１が２本の機械台８間に渡して固定され、綱止構造体２２が一対の渡し梁２１間に固定されているが、かご側主索固定装置１３及び釣合おもり側主索固定装置１４の強度を確保することができるのであれば、１つの渡し梁２１を２本の機械台８間に渡して固定し、渡し梁２１に綱止構造体２２を片持ちで固定してもよい。
【００４１】
また、上記の例では、主索１０の一端部及び他端部が互いに異なる綱止梁２４に個別に接続されているが、主索固定装置の共通の綱止梁２４に主索１０の一端部及び他端部を接続してもよい。この場合、主索固定装置の構成は釣合おもり側主索固定装置１４と同様の構成とされ、機械室２内に設置される主索固定装置の数は１つとされる。
【００４２】
また、上記の例では、機械台８、渡し梁２１、取付台２３、綱止梁２４間の固定が締結具２５によって行われているが、機械台８、渡し梁２１、取付台２３、綱止梁２４間の少なくともいずれかの固定を溶接によって行ってもよい。
【００４３】
また、上記の例では、主索１０の一端部及び他端部がいずれも機械室２内で接続されたエレベータが改修後のエレベータとなっているが、主索１０の一端部及び他端部のいずれか一方が機械室２内で接続され、主索１０の一端部及び他端部のいずれか他方がかご３及び釣合おもり４のいずれかに接続されたエレベータを改修後のエレベータとしてもよい。即ち、主索１０の一端部及び他端部の少なくともいずれかが機械室２内で接続されたエレベータであれば、改修後のエレベータとして適用されることができる。また、改修後のエレベータにおけるかご３及び釣合おもり４の主索１０による吊り下げ方式が２：１とされているが、改修後のエレベータにおけるかご３及び釣合おもり４の主索１０による吊り下げ方式を４：１等としてもよい。
【符号の説明】
【００４４】
１  昇降路、２  機械室、３  かご、４  釣合おもり、６  巻上機（駆動装置）、８  機械台、１３  かご側主索固定装置（主索固定装置）、１４  釣合おもり側主索固定装置（主索固定装置）、２１  渡し梁、２２  綱止構造体、２３  取付台、２４  綱止梁（綱止部材）、２５  締結具。
【図１】
2015030559.tif 000003
【図２】
2015030559.tif 000004
【図３】
2015030559.tif 000005
【図４】
2015030559.tif 000006
【図５】
2015030559.tif 000007
【図６】
2015030559.tif 000008